(57)【要約】【解決手段】汚水流路１は、上流側Ｐと下流側Ｑとを結ぶ前後方向Ｘに沿って延びる底面部２と、底面部２の両側で前後方向Ｘに沿って延びるように左右方向Ｙで相対向する側面部３とを有する。流路用堰４は汚水流路１を上流側Ｐと下流側Ｑとに仕切る。汚水流路１の底面部２に対し接近離間する上下方向Ｚへ延びる複数の分割仕切部材６を、汚水流路１に支持される固定部材５に対し案内孔で支持して左右方向Ｙへ並設している。各分割仕切部材６のうち、一部の分割仕切部材６を固定体６Ａとして吊下部材７に対し雄ねじ棒１８で支持するとともに、他の分割仕切部材６を可動体６Ｂとしてその吊下部材７に対し雄ねじ棒１８で支持し、可動体６Ｂとしての分割仕切部材６を固定部材５に対し上下方向Ｚへ移動させることができるようにした。【効果】汚水処理装置などの流路１に対し容易に設置することができる簡単な構造の流路用堰４を提供することができる。【選択図】図３
2006219876.tif 000002
【特許請求の範囲】
【請求項１】
上流側と下流側とを結ぶ前後方向に沿って延びる底面部と、この底面部の両側で前後方向に沿って延びるように左右方向で相対向する側面部とを有する流路を、上流側と下流側とに仕切る流路用堰において、
流路の底面部に対し接近離間する上下方向へ延びる複数の分割仕切部材を、流路に支持される固定部材に対し案内支持部で支持して左右方向と前後方向とのうち少なくとも左右方向へ並設し、
前記各分割仕切部材のうち、一部の分割仕切部材を固定体として吊下部材に対し吊下支持部で支持するとともに、他の分割仕切部材を可動体としてその吊下部材に対し吊下支持部で支持し、この固定体と可動体とのうち少なくとも可動体としての分割仕切部材を前記固定部材に対し上下方向へ移動させることができるようにした
ことを特徴とする流路用堰。
【請求項２】
前記各分割仕切部材は、前記固定部材に対し案内支持部で着脱可能に支持されているとともに、前記吊下部材に対し吊下支持部で着脱可能に支持されていることを特徴とする請求項１に記載の流路用堰。
【請求項３】
前記固定体または可動体としての分割仕切部材と吊下部材との間の吊下支持部は、この分割仕切部材と吊下部材とをつなぐ吊下体と、この分割仕切部材と吊下部材との間の間隔を調節するように吊下部材と分割仕切部材とのうち少なくともいずれかの部材に対しこの吊下体を移動させる位置調節部とからなることを特徴とすることを特徴とする請求項１または請求項２に記載の流路用堰。
【請求項４】
前記固定部材において案内支持部は、前記分割仕切部材が挿嵌される案内孔であることを特徴とする請求項１または請求項２または請求項３に記載の流路用堰。
【請求項５】
上流側と下流側とを結ぶ前後方向に沿って延びる底面部と、この底面部の両側で前後方向に沿って延びるように左右方向で相対向する側面部とを有する流路を、上流側と下流側とに仕切る流路用堰において、
流路に支持される固定部材と、この固定部材に設けた案内孔に対し着脱可能に挿嵌されて流路の底面部に対し接近離間する上下方向へ移動し得るように支持した複数の分割仕切部材と、その各分割仕切部材を固定部材に対し左右方向と前後方向とのうち少なくとも左右方向へ並設した状態で位置決めする連結手段とを備え、この各分割仕切部材の一部または全部を前記固定部材に対し上下方向へ移動させることができるようにした
ことを特徴とする流路用堰。
【請求項６】
前記固定部材は、前後方向の両側でそれぞれ上下方向へ並設された複数本の横桿と、この前後両側の各横桿間で左右方向へ並設された複数本の縦桿とを備え、前記案内孔は、筒状をなす各縦桿の内側と、左右方向で互いに隣接する両縦桿の外側間とのうち、少なくとも一方で、上下方向へ延びるように形成されて上下方向へ開放されていることを特徴とする請求項４または請求項５に記載の流路用堰。
【請求項７】
前記固定部材は複数に分割された固定部材を備え、分割された各固定部材は左右方向と上下方向と前後方向とのうち少なくともいずれかの方向へ並設されて着脱連結部で互いに着脱可能に連結されていることを特徴とする請求項１から請求項６のうちいずれかの請求項に記載の流路用堰。
【請求項８】
前記各分割仕切部材のうち少なくとも一部の分割仕切部材が流路の底面部に対し最接近した状態でも流路の上流側と下流側とを常時連通するように流路の底面部に面する分割仕切部材の下端部とその底面部との間で連通路を設けたことを特徴とする請求項１から請求項７のうちいずれかの請求項に記載の流路用堰。
【請求項９】
前記各分割仕切部材のうち少なくとも一部の分割仕切部材は、上側の切欠部と下側の切欠部とこの上下両側の切欠部を互いに連通する内孔とを有し、その上下両側の切欠部により流路の上流側と下流側とを連通する状態と、その上下両側の切欠部及び内孔により流路の上流側と上流側とを連通する状態と、その上下両側の切欠部及び内孔により流路の下流側と下流側とを連通する状態とのうち、少なくともいずれかの状態を取り得るようにしたことを特徴とする請求項１から請求項８のうちいずれかの請求項に記載の流路用堰。
【請求項１０】
一つの固定部材か、または複数に分割された固定部材を着脱連結部で互いに着脱可能に連結した固定部材と、この固定部材に設けた案内孔に対し着脱可能に挿嵌されてその挿嵌方向へ移動し得るように支持した複数の分割仕切部材と、その各分割仕切部材を固定部材に対し並設した状態で位置決めする連結手段とを備えたことを特徴とする流路用仕切部材。
【発明の詳細な説明】
【技術分野】
【０００１】
本発明は、例えば汚水処理装置において、汚水流路に設ける流路用堰と、そのような流路用堰や汚水槽内などに設ける流路用仕切部材とに関するものである。
【背景技術】
【０００２】
下記特許文献１では、その図１に示すように、活性汚泥を利用した曝気槽（６）を備えた汚水処理装置（１）において通路（２１，４４，４６）に堰（２０，４５，４７）が設けられている。この堰（２０，４５，４７）においては、その図２，３に示すように、主枠体（３１）上に取着された台（３３）でハンドル（３４）を回動操作すると、副可動板（２７）及び副枠体（３２）が両主可動板（２６）及び主枠体（３１）に対し上下動して副可動板（２７）の下縁部（２７ａ）が通路（２１）の底面（２２）に対し接近離間して開閉動され、また、通路（２１）上に取着された台（３７）でハンドル（３８）を回動操作すると、台（３３）を介して両主可動板（２６）及び主枠体（３１）が通路（２１）に対し副可動板（２７）及び副枠体（３２）とともに上下動して両主可動板（２６）の下縁部（２６ａ）が通路（２１）の底面（２２）に対し接近離間して開閉動される。
【特許文献１】特開２００１−０３８３７６号公報
【発明の開示】
【発明が解決しようとする課題】
【０００３】
しかし、上記特許文献１にかかる堰（２０，４５，４７）においては、両主可動板（２６）及び副可動板（２７）を上下動可能に支持する構造が複雑になる問題があった。
この発明は、汚水処理装置などの流路に対し容易に設置することができる簡単な構造の流路用堰、並びに、特にそのような堰や汚水槽内などに適した流路用仕切部材を提供することを目的としている。
【課題を解決するための手段】
【０００４】
後記実施形態の図面（図１〜２及び図３に示す第１実施形態、図１〜２及び図４に示す第２実施形態、図１〜２及び図５に示す第３実施形態、図１〜２及び図６に示す第４実施形態、図１〜２及び図７に示す第５実施形態、図１〜２及び図８〜１０に示す第６実施形態、図１〜２及び図１１に示す第７実施形態、図１〜２及び図１２に示す第８実施形態、
図１３に示す第９実施形態、図１４に示す第１０実施形態）の符号を援用して本発明を説明する。
【０００５】
請求項１の発明にかかる流路用堰（４）は、第１〜８実施形態に対応し、下記のように構成されている。
例えば汚水処理装置における汚水流路などの流路（１）は、上流側（Ｐ）と下流側（Ｑ）とを結ぶ前後方向（Ｘ）に沿って延びる底面部（２）と、この底面部（２）の両側で前後方向（Ｘ）に沿って延びるように左右方向（Ｙ）で相対向する側面部（３）とを有している。この流路用堰（４）は、この流路（１）を上流側（Ｐ）と下流側（Ｑ）とに仕切るものであって、下記の固定部材（５）と複数の分割仕切部材（６）と吊下部材（７）とを備えている。
【０００６】
前記各分割仕切部材（６）は、流路（１）の底面部（２）に対し接近離間する上下方向（Ｚ）へ延び、流路（１）に支持される前記固定部材（５）に対し案内支持部（１２）で支持されて左右方向（Ｙ）と前後方向（Ｘ）とのうち少なくとも左右方向（Ｙ）へ並設されている。前記各分割仕切部材（６）のうち、一部の分割仕切部材（６）は流路（１）または固定部材（５）に支持される固定体（６Ａ）として吊下部材（７）に対し例えば請求項３の発明に記載したような吊下支持部（１８等）で支持されているとともに、他の分割仕切部材（６）は可動体（６Ｂ）としてその吊下部材（７）に対し同様な吊下支持部（１８等）で支持され、この固定体（６Ａ）と可動体（６Ｂ）とのうち少なくとも可動体（６Ｂ）としての分割仕切部材（６）を前記固定部材（５）に対し上下方向（Ｚ）へ移動させることができるようにした。
【０００７】
例えば、前記固定体（６Ａ）としての分割仕切部材（６）を前記固定部材（５）に対し上下方向（Ｚ）へ移動調節可能に支持する場合、この固定体（６Ａ）としての分割仕切部材（６）を前記吊下部材（７）に対し雌雄ねじ部（１８，２０，２１）等により上下方向（Ｚ）へ移動調節可能にまたは溶接等により上下方向（Ｚ）へ一体的に移動可能に取着するとともに、前記可動体（６Ｂ）としての分割仕切部材（６）をこの吊下部材（７）に対し雌雄ねじ部（１８，２０，２１）等により上下方向（Ｚ）へ移動調節可能にまたは溶接等により上下方向（Ｚ）へ一体的に移動可能に取着する。一方、前記固定体（６Ａ）としての分割仕切部材（６）を前記固定部材（５）に対し溶接等により上下方向（Ｚ）へ一体的に移動可能に取着する場合、この固定体（６Ａ）としての分割仕切部材（６）を前記吊下部材（７）に対し雌雄ねじ部（１８，２０，２１）等により上下方向（Ｚ）へ移動調節可能に取着するとともに、前記可動体（６Ｂ）としての分割仕切部材（６）をこの吊下部材（７）に対し雌雄ねじ部（１８，２０，２１）等により上下方向（Ｚ）へ移動調節可能にまたは溶接等により上下方向（Ｚ）へ一体的に移動可能に取着するか、この固定体（６Ａ）としての分割仕切部材（６）をこの吊下部材（７）に対し雌雄ねじ部（１８，２０，２１）等により上下方向（Ｚ）へ移動調節可能にまたは溶接等により上下方向（Ｚ）へ一体的に移動可能に取着するとともに、この可動体（６Ｂ）としての分割仕切部材（６）をこの吊下部材（７）に対し雌雄ねじ部（１８，２０，２１）等により上下方向（Ｚ）へ移動調節可能に支持する。従って、固定体（６Ａ）としての分割仕切部材（６）や可動体（６Ｂ）としての分割仕切部材（６）をそれぞれ単独でまたは吊下部材（７）とともに固定部材（５）に対し上下方向（Ｚ）へ移動させることができる。
【０００８】
請求項１の発明では、固定部材（５）と複数の分割仕切部材（６）と吊下部材（７）とを互いに組み付けるだけの簡単な構造の流路用堰（４）を流路（１）に対し容易に設置することができるとともに、サイズの異なる各種の固定部材（５）や分割仕切部材（６）や吊下部材（７）を用意して互いに組み付けることにより、左右方向幅（Ｗ）や上下方向高さ（Ｈ）や前後方向厚み（Ｔ）の異なる各種の流路用堰（４）を簡単に設けることができる。
【０００９】
また、固定体（６Ａ）及び可動体（６Ｂ）としての各分割仕切部材（６）を固定部材（５）及び吊下部材（７）に対し上下方向（Ｚ）へ移動調節可能に支持した場合には、流路（１）の底面部（２）の形状が変化しても、各分割仕切部材（６）をその底面部（２）に合わせて上下動させるだけで、流路用堰（４）の仕切部材としての機能を果たすことができる。
【００１０】
請求項１の発明を前提とする請求項２の発明（第１〜８実施形態に対応）において、前記各分割仕切部材（６）は、前記固定部材（５）に対し案内支持部（１２）で着脱可能に支持されているとともに、前記吊下部材（７）に対し吊下支持部（１８等）で着脱可能に支持されている。
【００１１】
請求項２の発明では、サイズの異なる各種の固定部材（５）と複数の分割仕切部材（６）と吊下部材（７）とを互いに分解したり組み付けたりすることにより、流路用堰（４）の左右方向幅（Ｗ）や上下方向高さ（Ｈ）や前後方向厚み（Ｔ）を簡単に変更することができる。
【００１２】
請求項１または請求項２の発明を前提とする請求項３の発明（第１〜８実施形態に対応）において、前記固定体（６Ａ）または可動体（６Ｂ）としての分割仕切部材（６）と吊下部材（７）との間の吊下支持部は、この分割仕切部材（６）と吊下部材（７）とをつなぐ吊下体（１８）と、この分割仕切部材（６）と吊下部材（７）との間の上下方向間隔（Ｌ）を調節するように吊下部材（７）と分割仕切部材（６）とのうち少なくともいずれかの部材（７，６）に対しこの吊下体（１８）を移動させる位置調節部とからなる。
【００１３】
例えば、この位置調節部は、吊下部材（７）と分割仕切部材（６）とのうち少なくともいずれかの部材（７，６）に設けた吊下孔（１６，１７）と、この吊下孔（１６，１７）に挿嵌された吊下体（１８）と、この吊下体（１８）をこの吊下孔（１６，１７）に対し上下方向（Ｚ）へ移動調節可能に支持する雌雄ねじ部等の締結部（１８，１９，２０，２１）とからなる。すなわち、吊下部材（７）と吊下体（１８）との間に位置調節部を設けるとともに、分割仕切部材（６）と吊下体（１８）との間に位置調節部を設ける場合と、吊下部材（７）と吊下体（１８）との間に位置調節部を設けるとともに、分割仕切部材（６）と吊下体（１８）とを溶接等により上下方向（Ｚ）へ一体的に移動可能にする場合と、吊下部材（７）と吊下体（１８）とを溶接等により上下方向（Ｚ）へ一体的に移動可能にするとともに、分割仕切部材（６）と吊下体（１８）との間に位置調節部を設ける場合とがある。
【００１４】
請求項３の発明では、固定体（６Ａ）としての分割仕切部材（６）に対する吊下部材（７）の位置を決めた状態で、その吊下部材（７）に対し可動体（６Ｂ）としての分割仕切部材（６）の位置を決めることができるので、吊下部材（７）を流路（１）の底面部（２）の形状に応じた最適な設置高さに調節することができる。
【００１５】
請求項１または請求項２または請求項３の発明を前提とする請求項４の発明（第１〜８実施形態に対応）において、前記固定部材（５）の案内支持部は、前記分割仕切部材（６）が挿嵌される案内孔（１２）である。
【００１６】
請求項４の発明では、各分割仕切部材（６）を固定部材（５）に対し支持する案内支持部（１２）を簡単な構造にすることができる。
請求項５の発明にかかる流路用堰（４）は、第１〜８実施形態に対応し、下記のように構成されている。
【００１７】
例えば汚水処理装置における汚水流路などの流路（１）は、上流側（Ｐ）と下流側（Ｑ）とを結ぶ前後方向（Ｘ）に沿って延びる底面部（２）と、この底面部（２）の両側で前後方向（Ｘ）に沿って延びるように左右方向（Ｙ）で相対向する側面部（３）とを有している。この流路用堰（４）は、この流路（１）を上流側（Ｐ）と下流側（Ｑ）とに仕切るものであって、流路（１）に支持される固定部材（５）と、この固定部材（５）に設けた案内孔（１２）に対し着脱可能に挿嵌されて流路（１）の底面部（２）に対し接近離間する上下方向（Ｚ）へ移動し得るように支持した複数の分割仕切部材（６）と、その各分割仕切部材（６）を固定部材（５）に対し左右方向（Ｙ）と前後方向（Ｘ）とのうち少なくとも左右方向（Ｙ）へ並設した状態で位置決めする連結手段（７，１８，６Ａ等）とを備え、この各分割仕切部材（６）の一部または全部を前記固定部材（５）に対し上下方向（Ｚ）へ移動させることができるようにしている。この連結手段としては、後記第１〜８実施形態以外に、各分割仕切部材（６）をそれぞれ固定部材（５）に対し雌雄ねじ部等により上下方向（Ｚ）へ移動調節可能に支持したり、流路（１）に取着した吊下部材に対し各分割仕切部材（６）をそれぞれ雌雄ねじ部等により上下方向（Ｚ）へ移動調節可能に支持したりしてもよい。
【００１８】
請求項５の発明によれば、例えば汚水処理装置において汚水流路（１）に流路用堰（４）を設ける場合、固定部材（５）と複数の分割仕切部材（６）とを互いに組み付けるだけの簡単な構造の流路用堰（４）を容易に設置することができるとともに、サイズの異なる各種の固定部材（５）と分割仕切部材（６）とを互いに分解したり組み付けたりすることにより流路用堰（４）のサイズを簡単に変更することができる。
【００１９】
請求項４または請求項５の発明を前提とする請求項６の発明（第１〜８実施形態に対応）において、前記固定部材（５）は、前後方向（Ｘ）の両側でそれぞれ上下方向（Ｚ）へ並設された複数本の横桿（９）と、この前後両側の各横桿（９）間で左右方向（Ｙ）へ並設された複数本の縦桿（１０）とを備え、前記案内孔（１２）は、筒状をなす各縦桿（１０）の内側と、左右方向（Ｙ）で互いに隣接する両縦桿（１０）の外側間とのうち、少なくとも一方で、上下方向（Ｚ）へ延びるように形成されて上下方向（Ｚ）へ開放されている。
【００２０】
請求項６の発明によれば、各分割仕切部材（６）を固定部材（５）に対し支持する案内支持部としての案内孔（１２）を簡単な構造で設けることができる。
請求項１から請求項６のうちいずれかの請求項の発明を前提とする請求項７の発明（第２，３，４，８実施形態に対応）において、前記固定部材（５）は複数に分割された固定部材（５Ａ）を備え、分割された各固定部材（５Ａ）は左右方向（Ｙ）と上下方向（Ｚ）と前後方向（Ｘ）とのうち少なくともいずれかの方向（Ｙ，Ｚ，Ｘ）へ並設されて着脱連結部（１１，６，２２等）で互いに着脱可能に連結されている。
【００２１】
例えば、分割された各固定部材（５Ａ）を左右方向（Ｙ）で連結する前記着脱連結部は、左右方向（Ｙ）で互いに隣接する両固定部材（５Ａ）に設けた連結孔（９ａ）と、この両連結孔（９ａ）に挿嵌されて締結される連結体（１１）とからなる。分割された各固定部材（５Ａ）を上下方向（Ｚ）で連結する前記着脱連結部は、上下方向（Ｚ）で互いに隣接する両固定部材（５Ａ）に設けた連結孔（例えば前記分割仕切部材６が挿嵌される案内孔１２）と、この両連結孔（１２）に挿嵌された連結体（例えば前記分割仕切部材６）とからなる。分割された各固定部材（５Ａ）を前後方向（Ｘ）で連結する前記着脱連結部は、前後方向（Ｘ）で互いに隣接する両固定部材（５Ａ）に締結される連結体（２２）からなる。
【００２２】
請求項７の発明では、一つの固定部材（５）ばかりではなく、複数の固定部材（５Ａ）を互いに組み合わせて一つの固定部材（５）にすることにより、左右方向幅（Ｗ）や上下方向高さ（Ｈ）や前後方向厚み（Ｔ）の異なる各種の流路用堰（４）を簡単に設けることができる。
【００２３】
請求項１から請求項７のうちいずれかの請求項の発明を前提とする請求項８の発明（第１〜８実施形態に対応）において、前記各分割仕切部材（６）のうち少なくとも一部の分割仕切部材（６）が流路（１）の底面部（２）に対し最接近した状態でも流路（１）の上流側（Ｐ）と下流側（Ｑ）とを常時連通するように流路（１）の底面部（２）に面する分割仕切部材（６）の下端部とその底面部（２）との間で連通路（Ｓ）を設けている。
【００２４】
請求項８の発明では、流路（１）において流路用堰（４）の開閉状態に関わらず常に連通路（Ｓ）が生じるため、流路用堰（４）の上流側（Ｐ）で流路（１）の底面部（２）に汚泥等の処理物が溜まりにくくなる。
【００２５】
請求項１から請求項８のうちいずれかの請求項の発明を前提とする請求項９の発明は、第６実施形態に対応し、下記のように構成されている。
前記各分割仕切部材（６）のうち少なくとも一部の分割仕切部材（６）は、上側の切欠部（２４）と下側の切欠部（２５）とこの上下両側の切欠部（２４，２５）を互いに連通する内孔（１５ｂ）とを有し、その上下両側の切欠部（２４，２５）により流路（１）の上流側（Ｐ）と下流側（Ｑ）とを連通する状態（図８参照）と、その上下両側の切欠部（２４，２５）及び内孔（１５ｂ）により流路（１）の上流側（Ｐ）と上流側（Ｐ）とを連通する状態（図９参照）と、その上下両側の切欠部（２４，２５）及び内孔（１５ｂ）により流路（１）の下流側（Ｑ）と下流側（Ｑ）とを連通する状態（図１０参照）とのうち、少なくともいずれかの状態を取り得るようにしている。
【００２６】
請求項９の発明において、図８の状態では、汚水等の水位が上昇すると、汚水等が下側の切欠部（２５）から下流側（Ｑ）へ逃げるとともに、下側の切欠部（２５）から内孔（１５ｂ）へ上昇してさらに上側の切欠部（２４）から下流側（Ｑ）へ逃げ、水位の上昇を防止するとともに、圧力の上昇を抑えて流路用堰（４）を保護することができる。また、図９の状態では、汚水等の水位が上昇すると、汚水等が下側の切欠部（２５）から内孔（１５ｂ）へ上昇するとともにさらに上側の切欠部（２４）から上流側（Ｐ）へ戻って攪拌される。さらに、図１０の状態では、汚水等の水位が上昇すると、汚水等が下側の切欠部（２５）から内孔（１５ｂ）へ上昇するとともにさらに上側の切欠部（２４）から下流側（Ｑ）へ戻って攪拌される。
【００２７】
請求項１０の発明にかかる流路用仕切部材（２７）は、第９〜１０実施形態に対応し、下記のように構成されている。
一つの固定部材（５）か、または複数に分割された固定部材（５Ａ）を着脱連結部（１１，６，２２等）で互いに着脱可能に連結した固定部材（５）と、この固定部材（５）に設けた案内孔（１２）に対し着脱可能に挿嵌されてその挿嵌方向へ移動し得るように支持した複数の分割仕切部材（６）と、その各分割仕切部材（６）を固定部材（５）に対し並設した状態で位置決めする連結手段（２８，２９）とを備えている。
【００２８】
請求項１０の発明では、例えば汚水処理装置において汚水流路（１）に設ける流路用堰（４）や汚水槽（３０）内などにこの流路用仕切部材（２７）を設ける場合、固定部材（５）と複数の分割仕切部材（６）とを互いに組み付けるだけの簡単な構造の仕切部材（２７）を容易に設置することができるとともに、サイズの異なる各種の固定部材（５）と分割仕切部材（６）とを互いに分解したり組み付けたりすることにより仕切部材（２７）のサイズを簡単に変更することができる。
【００２９】
請求項６の発明を前提とする第１１の発明（第１〜８実施形態に対応）において、前記各横桿（９）で左右方向（Ｙ）の両端部には伸縮可能な案内体（１１）を設け、前記案内孔（１２）は前後方向（Ｘ）で互いに隣接するこの両案内体（１１）の外側間で上下方向（Ｚ）へ延びるように形成されて上下方向（Ｚ）へ開放されている。
【００３０】
第１１の発明では、両案内体（１１）を伸縮させることにより左右方向（Ｙ）で案内孔（１２）の長さを調節して、その案内孔（１２）に挿嵌する分割仕切部材（６）の本数を変更することができる。
【００３１】
請求項８の発明を前提とする第１２の発明（第７実施形態に対応）においては、前記連通路（Ｓ）を有する分割仕切部材（６）の下端部に伸縮可能な脚（１８）を設け、その脚（１８）を伸縮させることにより、分割仕切部材（６）の下端部と流路（１）の底面部（２）との間の距離を変更して連通路（Ｓ）の広さを調節する。
【００３２】
第１２の発明では、連通路（Ｓ）における流速を変化させて汚泥等の処理物の滞留度を変更することができる。
請求項８の発明または第１２の発明を前提とする第１３の発明（第１〜８実施形態に対応）においては、前記連通路（Ｓ）を有する分割仕切部材（６）は、下端部に設けた開口（１５ａ）から連通して上下方向（Ｚ）へ延びる内孔（１５ｂ）を有するように筒状をなしている。
【００３３】
第１３の発明では、汚水等の水位が上昇すると、汚水等が開口（１５ａ）から内孔（１５ｂ）へ上昇し、連通路（Ｓ）における流速の上昇を抑えて汚泥等の処理物の滞留度を最適なものに維持することができる。
【００３４】
第１３の発明を前提とする第１４の発明（第６実施形態に対応）において、前記連通路（Ｓ）を有する分割仕切部材（６）には下端部の開口（１５ａ）よりも上方位置で内孔（１５ｂ）に連通する連通孔（２４）を設け、この連通孔（２４）により流路（１）の上流側（Ｐ）と下流側（Ｑ）とを常時連通する。
【００３５】
第１４の発明では、汚水等の水位が上昇すると、汚水等が開口（１５ａ）から内孔（１５ｂ）へ上昇するとともにさらに連通孔（２４）から下流側（Ｑ）へ逃げ、連通路（Ｓ）における流速の上昇を抑えて汚泥等の処理物の滞留度を最適なものに維持することができる。
【００３６】
請求項９の発明を前提とする第１５の発明（第６実施形態に対応）においては、前記切欠部（２４，２５）を有する分割仕切部材（６）を固定部材（５）の案内支持部（１２）に支持する際に固定部材（５）に対する切欠部（２４，２５）の向きを変更し得るようにし、その向きを変更することにより、前記各状態（図８，９，１０参照）を取り得る。
【００３７】
第１５の発明では、各状態（図８，９，１０参照）を任意に選択することができる。
【発明の効果】
【００３８】
本発明は、汚水処理装置などの汚水流路（１）に対し容易に設置することができる簡単な構造の流路用堰（４）、並びに、特にそのような流路用堰（４）や汚水槽（３０）などに適した流路用仕切部材（２７）を提供することができる。
【発明を実施するための最良の形態】
【００３９】
まず、本発明の第１実施形態にかかる汚水処理装置の流路用堰について図１〜２及び図３を参照して説明する。
図３（ａ）（ｂ）（ｃ）に示す汚水流路１は、上流側Ｐと下流側Ｑとを結ぶ前後方向Ｘに沿って延びる底面部２と、この底面部２の両側で前後方向Ｘに沿って延びるように左右方向Ｙで相対向する側面部３とを有している。この汚水流路１を上流側Ｐと下流側Ｑとに仕切る流路用堰４は、大別して、図１（ａ）（ｂ）に示す固定部材５と、図２（ａ）（ｂ）に示す分割仕切部材６と、図２（ａ）（ｂ）に示す吊下部材７とを備えている。
【００４０】
前記固定部材５において本体８は、前後方向Ｘの両側でそれぞれ上下方向Ｚへ間隔をあけて並設された複数本（３本）の横桿９と、この前後両側の各横桿９間で左右方向Ｙへ間隔をあけて並設された複数本（４本）の縦桿１０とを備えている。各縦桿１０のうち、中央にある２本の縦桿１０については、左右両側にある各１本の縦桿１０と比較して、下半部が省略されて短くなっている。この各横桿９及び各縦桿１０は、それぞれ、略正方形状の外周面と略正方形状の内周面とを有する断面略正方形状の薄肉筒状をなし、両端部で開放されている。この固定部材５は、前記本体８（各横桿９及び各縦桿１０）のほかに、着脱連結部として、前後両側の各横桿９の左右両端部で内周面間の連結孔９ａに対し着脱可能に挿嵌される連結桿１１を有している。各横桿９の左右両端部に対し各連結桿１１を伸縮させて各連結桿１１の突出長さを調節することができる。この各連結桿１１も、略正方形状の外周面と略正方形状の内周面とを有する断面略正方形状の薄肉筒状をなし、左右両端部で開放されている。なお、図面では、各横桿９や各縦桿１０や各連結桿１１の肉厚が実際よりは厚く表現されている。各縦桿１０の内周面間と、左右方向Ｙで互いに隣接する両縦桿１０の外周面間と、前後方向Ｘで互いに隣接する両連結桿１１の外周面間とには、それぞれ、案内支持部としての案内孔１２が上下方向Ｚへ延びるように形成されて上下方向Ｚへ開放されている。
【００４１】
前記汚水流路１の左右両側面部３には上下方向Ｚへ延びる前後両固定桿１３が前後方向Ｘで間隔をあけて取着されている。前記固定部材５において、前後両側の各横桿９の左右両端部から各連結桿１１が所定長さ突出した状態で左右両側の前後両固定桿１３間に挿入されてその前後両固定桿１３に対し雌雄ねじ部等（図示せず）により取着され、この各連結桿１１が雌雄ねじ部１４（雌ねじ筒部及びボルト）により各横桿９に固定されている。この固定部材５を汚水流路１の底面部２に載置すれば、上記雌雄ねじ部等（図示せず）は省略することができる。図３（ｂ）に示すように汚水流路１の側面部３に穴３ａを設けてその穴３ａに連結桿１１を挿着したり、図３（ｃ）に示すように汚水流路１の側面部３に凹み３ｂを設けてその凹み３ｂに連結桿１１を当てがったりすれば、前記固定桿１３を省略することができる。
【００４２】
前記分割仕切部材６において本体１５は、略正方形状の外周面と略正方形状の内周面とを有する断面略正方形状の薄肉筒状をなしている。この本体１５の下端部が開口１５ａにより開放されているとともに、この本体１５の上端部が閉塞され、その開口１５ａに連通する内孔１５ｂがこの下端部から上端部にわたり設けられている。その上端部で雌ねじ筒部１６（位置調節部）が取着されている。この分割仕切部材６は複数本用意される。各分割仕切部材６の本体１５は、前記固定部材５の各案内孔１２に挿嵌されて上下方向Ｚへ立設され、前記汚水流路１の左右両側面部３間で左右方向Ｙへ並設されている。なお、各本体１５間にはそれらの並設状態で極僅かの隙間が生じ得るが、それらの隙間は汚泥により塞がれる。
【００４３】
前記吊下部材７は断面コ字形状をなし、複数の支持孔１７（位置調節部）が前記分割仕切部材６の数に合わせて形成されている。この支持孔１７については、複数の支持孔１７を互いに連続させて長孔状に形成してもよい。この分割仕切部材６においてこの吊下部材７に対し本体１５を支持する吊下支持部としては、前記雌ねじ筒部１６に雄ねじ棒１８（吊下体、位置調節部）の下端部側が螺合されて本体１５内に挿入され、その本体１５の外側で雄ねじ棒１８に螺合されたナット１９（位置調節部）により雄ねじ棒１８が本体１５に対し着脱可能に連結されている。また、この吊下支持部としては、この雄ねじ棒１８（吊下体、位置調節部）の上端部側が吊下部材７の支持孔１７に挿通され、雄ねじ棒１８に螺合された一対のナット２０，２１（位置調節部）により吊下部材７が挟持されて雄ねじ棒１８が吊下部材７に対し着脱可能に連結されている。これらの位置調節部により、分割仕切部材６の本体１５及び吊下部材７に対し雄ねじ棒１８を移動させて分割仕切部材６の本体１５と吊下部材７との間の上下方向間隔Ｌを調節することができる。
【００４４】
前記各分割仕切部材６のうち、前記汚水流路１の左右両側面部３に隣接する一本または複数本（例えば３本）の分割仕切部材６を固定体６Ａとしてこの汚水流路１の底面部２に載置したままの状態とし、その各固定体６Ａと前記固定部材５と前記吊下部材７とを固定枠として機能させる。汚水流路１の閉状態では、それらの固定体６Ａ以外の分割仕切部材６も可動体６Ｂとして汚水流路１の底面部２に載置され、その各本体１５の下端部が汚水流路１の底面部２に当接して最接近し、その最接近状態でもこの下端部と底面部２との間には僅かな連通路Ｓが生じている。この汚水流路１を開状態にする場合には、吊下部材７に対する任意の可動体６Ｂの上下方向間隔Ｌを調節して各本体１５の下端部を底面部２から離間させる。ちなみに、この流路用堰４においては、左右方向幅がＷ、上下方向高さがＨ、前後方向厚みがＴにそれぞれ設定される。
【００４５】
次に、本発明の第２実施形態にかかる汚水処理装置の流路用堰について第１実施形態との相違点を中心に図１〜２及び図４を参照して説明する。
図１で示す両分割固定部材５Ａが左右方向Ｙで互いに並設されて一つの固定部材５が構成され、この両分割固定部材５Ａで互いに隣接する両横桿９の連結孔９ａに連結桿１１が挿嵌されて雌雄ねじ部１４（雌ねじ筒部及びボルト）により両横桿９に固定されている。この流路用堰４においては左右方向幅Ｗが第１実施形態の場合よりも大きくなる。
【００４６】
次に、本発明の第３実施形態にかかる汚水処理装置の流路用堰について第１実施形態との相違点を中心に図１〜２及び図５を参照して説明する。
図１で示す両分割固定部材５Ａが上下方向Ｚで互いに重合された状態で並設されて一つの固定部材５が構成され、この両分割固定部材５Ａの各案内孔１２に各分割仕切部材６の本体１５が挿嵌されて立設されている。この流路用堰４においては上下方向高さＨが第１実施形態の場合よりも大きくなる。
【００４７】
次に、本発明の第４実施形態にかかる汚水処理装置の流路用堰について第１実施形態との相違点を中心に図１〜２及び図６を参照して説明する。
図１で示す両分割固定部材５Ａが前後方向Ｘで互いに並設されて一つの固定部材５が構成され、この両分割固定部材５Ａで互いに隣接する両連結桿１１に着脱連結部としての連結板２２が架設されて雌雄ねじ部２３（雌ねじ筒部及びボルト）により固定されている。この流路用堰４においては前後方向厚みＴが第１実施形態の場合よりも大きくなる。この連結板２２の長さを調節すると、この前後方向厚みＴを変更することができる。
【００４８】
次に、本発明の第５実施形態にかかる汚水処理装置の流路用堰について第１実施形態との相違点を中心に図１〜２及び図７を参照して説明する。
第１実施形態と比較して汚水流路１の底面部２の形状が変化している。その場合でも、その底面部２に合わせて各分割仕切部材６の本体１５と吊下部材７との間の上下方向間隔Ｌを調節すれば、汚水流路１を開閉することができる。
【００４９】
次に、本発明の第６実施形態にかかる汚水処理装置の流路用堰について第１実施形態との相違点を中心に図１〜２及び図８〜１０を参照して説明する。
前記各分割仕切部材６のうち左右方向Ｙの中央にある２本の分割仕切部材６において本体１５の上下方向Ｚの中間部に上側の切欠部２４が形成されているとともに、本体１５の下端部に下側の切欠部２５が形成されている。これらの切欠部２４，２５を有する両分割仕切部材６で固定部材５の案内孔１２に対する挿嵌向きを変更すると、各切欠部２４，２５の向きを変更することができる。図８に示す状態では、両本体１５で上側の切欠部２４と下側の切欠部２５とがそれぞれ左右方向Ｙで互いに向き合っている。なお、両本体１５で上側の切欠部２４と下側の切欠部２５とがそれぞれ左右方向Ｙで互いに反対側を向いていてもよい。いずれにしても各切欠部２４，２５により汚水流路１の上流側Ｐと下流側Ｑとが連通する。その場合、下側の切欠部２５は前記連通路Ｓでもある。そのため、汚水は汚水流路１の閉状態でも各切欠部２４，２５を通って上流側Ｐから下流側Ｑへ流れる。図９に示す状態では、両本体１５で上側の切欠部２４と下側の切欠部２５とがそれぞれ上流側Ｐを向き、各切欠部２４，２５を有する両本体１５において各切欠部２４，２５及び内孔１５ｂを通して汚水流路１の上流側Ｐと上流側Ｐとが連通する。そのため、上流側Ｐの汚水は汚水流路１の閉状態で各切欠部２４，２５及び内孔１５ｂを通して上流側Ｐに戻る。図１０に示す状態では、両本体１５で上側の切欠部２４と下側の切欠部２５とがそれぞれ下流側Ｑを向き、各切欠部２４，２５を有する両本体１５において各切欠部２４，２５及び内孔１５ｂを通して汚水流路１の下流側Ｑと下流側Ｑとが連通する。そのため、下流側Ｑの汚水は汚水流路１の閉状態で各切欠部２４，２５及び内孔１５ｂを通して下流側Ｑに戻る。
【００５０】
次に、本発明の第７実施形態にかかる汚水処理装置の流路用堰について第１実施形態との相違点を中心に図１〜２及び図１１を参照して説明する。
図２に示す両分割仕切部材６が上下方向Ｚへ並べられてそれらの本体１５の端部が互いに突き合わされ、それらの端部に連結体２６が挿嵌されて上側の分割仕切部材６と下側の分割仕切部材６とが互いに連結されている。上側の分割仕切部材６の上端部と下側の分割仕切部材６の下端部でそれぞれ雌ねじ筒部１６に雄ねじ棒１８が螺合されて本体１５内に挿入され、その本体１５の外側で雄ねじ棒１８に螺合されたナット１９により雄ねじ棒１８が本体１５に対し着脱可能に連結されている。下側の分割仕切部材６において、雄ねじ棒１８が伸縮可能な脚として機能し、その雄ねじ棒１８を伸縮させることにより、下側の分割仕切部材６の下端部と汚水流路１の底面部２との間の距離を変更して連通路Ｓの広さを調節することができる。
【００５１】
次に、本発明の第８実施形態にかかる汚水処理装置の流路用堰について図１〜２及び図１２を参照して説明する。
第２実施形態と第３実施形態と第４実施形態とが互いに組み合わされ、図１で示す各分割固定部材５Ａが左右方向Ｙと上下方向Ｚと前後方向Ｘとで互いに並設されて一つの固定部材５が構成されている。この流路用堰４においては左右方向幅Ｗと上下方向高さＨと前後方向厚みＴとが第１実施形態の場合よりも大きくなる。
【００５２】
次に、本発明の第９実施形態にかかる汚水処理装置の流路用仕切部材について図１３を参照して説明する。
図１３（ａ）（ｂ）（ｃ）に示すように、この流路用仕切部材２７においては、第１実施形態と同様に、複数の分割仕切部材６の本体１５が固定部材５の各案内孔１２に対し着脱可能に挿嵌されてその挿嵌方向へ移動可能に支持され、その各本体１５が固定部材５に対し並設された状態で、各本体１５の両端部に連結枠２８（連結手段）が嵌め込まれるとともに、連結手段としての雌雄ねじ部２９（ボルト及びナット）により両端の本体１５が固定部材５の各連結桿１１及び両連結枠２８に固定されて、各本体１５が固定部材５に対し位置決めされている。各分割仕切部材６の本体１５において長さの異なるものを利用すれば、流路用仕切部材２７の外形状を変更することができる。この流路用仕切部材２７は、第１〜８実施形態の流路用堰４ばかりではなく、例えば、汚水処理装置において、図１３（ｄ）に示すように汚水槽３０内で横に配設されたり、図１３（ｅ）に示すように汚水流路３１内の上下位置で縦に配設されたりして利用される。
【００５３】
次に、本発明の第１０実施形態にかかる汚水処理装置の流路用仕切部材について第９実施形態との相違点を中心に図１４を参照して説明する。
図１で示す各分割固定部材５Ａが第８実施形態と同様に左右方向Ｙと上下方向Ｚと前後方向Ｘとで互いに並設されて一つの固定部材５が構成されている点で、第９実施形態と異なる。この流路用仕切部材２７においては各サイズＡ，Ｂ，Ｃが第９実施形態の場合よりも大きくなる。
【００５４】
なお、本発明は、汚水処理装置以外にも、各種流路の堰や仕切部材に応用することができる。
【図面の簡単な説明】
【００５５】
【図１】（ａ）は第１〜８実施形態にかかる流路用堰において固定部材の分解状態を示す斜視図であり、（ｂ）は同じく固定部材の組付状態を示す斜視図である。
【図２】（ａ）は第１〜８実施形態にかかる流路用堰において分割仕切部材と吊下部材との分解状態を示す一部切欠斜視図であり、（ｂ）は同じく分割仕切部材と吊下部材との組付状態を示す一部切欠断面図である。
【図３】（ａ）は第１実施形態にかかる流路用堰において汚水流路に設置した状態を示す一部切欠正面図であり、（ｂ）は（ａ）のＡ１−Ａ１線において流路用堰を側面側から見た断面図であり、（ｃ）は（ａ）のＡ２−Ａ２線において流路用堰を平面側から見た断面図であり、（ｄ）（ｅ）はそれぞれ別例を示す（ｃ）相当の部分断面図である。
【図４】（ａ）は第２実施形態にかかる流路用堰において汚水流路に設置した状態を示す一部切欠正面図であり、（ｂ）は（ａ）のＢ−Ｂ線において流路用堰を平面側から見た断面図である。
【図５】（ａ）は第３実施形態にかかる流路用堰において汚水流路に設置した状態を示す一部切欠正面図であり、（ｂ）は（ａ）のＣ−Ｃ線において流路用堰を側面側から見た断面図である。
【図６】（ａ）は第４実施形態にかかる流路用堰において平面側から見た断面図であり、（ｂ）は（ａ）のＤ−Ｄ線において流路用堰を側面側から見た部分断面図である。
【図７】第５実施形態にかかる流路用堰において汚水流路に設置した状態を示す一部切欠正面図である。
【図８】（ａ）は第６実施形態にかかる流路用堰において汚水流路に設置した状態を示す一部切欠正面図であり、（ｂ）は（ａ）のＥ１−Ｅ１線において平面側から見た部分断面図であり、（ｃ）は（ａ）のＥ２−Ｅ２線において平面側から見た部分断面図である。
【図９】（ａ）は図８（ａ）で一部の分割仕切部材の状態を変更した一部切欠正面図であり、（ｂ）は（ａ）のＦ１−Ｆ１線において平面側から見た部分断面図であり、（ｃ）は（ａ）のＦ２−Ｆ２線において平面側から見た部分断面図である。
【図１０】（ａ）は図８（ａ）で一部の分割仕切部材の状態を変更した一部切欠正面図であり、（ｂ）は（ａ）のＧ１−Ｇ１線において平面側から見た部分断面図であり、（ｃ）は（ａ）のＧ２−Ｇ２線において平面側から見た部分断面図である。
【図１１】第７実施形態にかかる流路用堰において汚水流路に設置した状態を示す一部切欠正面図である。
【図１２】（ａ）は第８実施形態にかかる流路用堰において汚水流路に設置した状態を示す一部切欠正面図であり、（ｂ）は（ａ）のＨ１−Ｈ１線において側面側から見た部分断面図であり、（ｃ）は（ａ）のＨ２−Ｈ２線において平面側から見た部分断面図である。
【図１３】（ａ）は第９実施形態にかかる流路用仕切部材を示す正面図であり、（ｂ）は同じく側面図であり、（ｃ）は（ａ）のＩ−Ｉ線において平面側から見た断面図であり、（ｄ）（ｅ）はそれぞれこの流路用仕切部材の使用状態を概略的に示す断面図である。
【図１４】（ａ）は第１０実施形態にかかる流路用仕切部材を示す正面図であり、（ｂ）は同じく側面図であり、（ｃ）は（ａ）のＪ−Ｊ線において平面側から見た断面図である。
【符号の説明】
【００５６】
１…汚水流路、２…底面部、３…側面部、４…流路用堰、５…固定部材、５Ａ…分割固定部材、６…分割仕切部材（着脱連結部）、６Ａ…固定体（連結手段）、６Ｂ…可動体、７…吊下部材（連結手段）、９…横桿、１０…縦桿、１１…連結桿（着脱連結部）、１２…案内孔（案内支持部）、１５…分割仕切部材の本体、１５ｂ…内孔、１８…雄ねじ棒（吊下支持部の吊下体、連結手段）、２２…連結板（着脱連結部）、２４，２５…切欠部、２７…流路用仕切部材、２８…連結枠（連結手段）、２９…雌雄ねじ部（連結手段）、Ｐ…上流側、Ｑ…下流側、Ｘ…前後方向、Ｙ…左右方向、Ｚ…上下方向、Ｓ…連通路。
【図１】
2006219876.tif 000003
【図２】
2006219876.tif 000004
【図３】
2006219876.tif 000005
【図４】
2006219876.tif 000006
【図５】
2006219876.tif 000007
【図６】
2006219876.tif 000008
【図７】
2006219876.tif 000009
【図８】
2006219876.tif 000010
【図９】
2006219876.tif 000011
【図１０】
2006219876.tif 000012
【図１１】
2006219876.tif 000013
【図１２】
2006219876.tif 000014
【図１３】
2006219876.tif 000015
【図１４】
2006219876.tif 000016